(57)【要約】【課題】ロッドの移動方向が上下いずれであっても、略同じ力の大きさで操作させることができるロッド固定装置、及び、それを用いた伸縮ロッドユニットを提供する。【解決手段】第２ロッド１２内で第１ロッド１１と一体に移動するロック機構１３が、第２ロッド１２の内周面１２ａに当接可能な当接面部１５ｃを有するストッパー１５と、当接面部１５ｃが第２ロッド１２の内周面１２ａと当接できるようにしてストッパー１５を回動可能に保持しているホルダー１４と、平時はストッパー１５の当接面部１５ｃが第２のロッド１２の内周面１２ａに当接して、第１ロッド１１と第２ロッド１２との間に固定用摩擦力を生成ための弾発力をストッパー１５に付与しているコイルスプリング１６と、を有し、第１ロッド１１の一方側への移動は、当接面部１５ｃが第２ロッド１２の内周面１２ａと離れる側に回動され、第１ロッド１１の他方側への移動は固定用摩擦力に抗して移動されるように構成した。【選択図】図１５
2019113151.tif 000002
【特許請求の範囲】
【請求項１】
ロッドの意図しない移動を抑制するロッド固定装置であって、
第１ロッドと、
前記第１ロッドが挿入されて前記第１ロッドを軸方向へ往復移動可能に保持している筒状の第２ロッドと、
前記第２ロッド内で前記第１ロッドと一体に前記軸方向へ移動するロック機構とを備え、
前記ロック機構が、
前記第２ロッドの内周面と当接可能な当接面部を有する少なくとも１つのストッパーと、
前記第１ロッドと一体移動可能に前記第２ロッド内に配置され、前記当接面部が前記第２ロッドの内周面と当接できるようにして前記ストッパーを回動可能に保持しているホルダーと、
前記ストッパーの前記当接面部が前記第２ロッドの内周面に当接して、前記第１ロッドと前記第２ロッドとの間に固定用摩擦力を生成するための弾発力を前記ストッパーに付与している弾性部材と、
を有し、
前記ストッパーは、前記第１ロッドが前記軸方向における一方側へ移動する際には、前記当接面部が前記第２ロッドの内周面と離れるように回動され、前記第１ロッドが前記軸方向における他方側へ移動する際には、前記固定用摩擦力に抗して移動されるように構成されている、
ことを特徴とするロッド固定装置。
【請求項２】
前記ストッパーは、前記弾性部材を挟んで略対称な位置に一対配置されている、
ことを特徴とする請求項１に記載のロッド固定装置。
【請求項３】
前記ホルダーと前記ストッパーの一方に位置決めピンを設けるとともに、前記ホルダーと前記ストッパーの他方に前記位置決めピンが前記第２ロッドの半径方向に摺動可能に係合しているガイド溝を設けた、
ことを特徴とする請求項１又は２に記載のロッド固定装置。
【請求項４】
前記ストッパーは、前記第２ロッドと対向している肩部を凸曲面状に形成している、
ことを特徴とする請求項１、２又は３に記載のロッド固定装置。
【請求項５】
前記ストッパーは、前記当接面部にブレーキ部材を貼り付けている、
ことを特徴とする請求項１、２、３又は４に記載のロッド固定装置。
【請求項６】
前記ホルダーは、前記第１ロッドにブラケットを介して取り付けられていることを特徴とする請求項１、２、３、４又は５に記載のロッド固定装置。
【請求項７】
請求項１から請求項６のいずれか１項に記載のロッド固定装置と、
前記第１ロッドと一体化された可動側部材と、
前記第２ロッドと一体化された固定側部材と、
を備えていることを特徴とする伸縮ロッドユニット。
【請求項８】
前記可動側部材が化粧鏡で、前記固定側部材が設置台である、
ことを特徴とする請求項７に記載の伸縮ロッドユニット。
【発明の詳細な説明】
【技術分野】
【０００１】
本発明はロッド固定装置、及び、それを用いた伸縮ロッドユニットに関するものであり、特に意図しないロッドの移動を抑制する場合に好適なロッド固定装置、及び、それを用いた伸縮ロッドユニットに関するものである。
【背景技術】
【０００２】
鏡等の日用品の支柱、家具及びインテリア等の支柱、点滴スタンド等の医療器具の支柱、マイクスタンド等の音響機器の支柱には、その長さや高さを変えるために、２本のロッドを伸縮自在に結合している伸縮ロッドユニットを用いたものがある。このような２本のロッドが伸縮自在とされた伸縮ロッドユニットは、一般にパイプ状の大径の固定ロッドの貫通孔内に小径の移動ロッドが挿入され、移動ロッドが固定ロッドに対し長手方向に沿って移動可能な構造とされる。また、このような伸縮ロッドユニットには、固定ロッドと移動ロッドとが相対的に移動可能状態と、固定ロッドと移動ロッドとが互いに固定された状態（ロック状態）とに切り替えるロッド固定装置が設けられている（例えば、特許文献１参照）。
【０００３】
特許文献１には、移動ロッドが挿入される軸受と、移動ロッドの周方向に並んで配置され、移動ロッドの外周面を押圧するよう付勢される二つのブレーキと、二つのブレーキのそれぞれに対応して設けられ、対応するブレーキを移動ロッドから離間する方向に動かす二つの解除スイッチを備えている。そしてロッド固定装置のロックを解除する場合は、二つの解除スイッチを同時に内側へ押すとロックが解除され、移動ロッドを固定ロッドに対して移動できるようになっている。
【先行技術文献】
【特許文献】
【０００４】
【特許文献１】特開２０１６−１０１０号公報
【発明の概要】
【発明が解決しようとする課題】
【０００５】
特許文献１に記載の発明は、ロッド固定装置のロックを解除する場合に、二つの解除スイッチを同時に押す必要があり、操作性が悪いという問題点があった。
【０００６】
また、伸縮方向が上下方向であって、移動ロッド側に設置物が取り付けられているとき、移動ロッドを降下させると、移動ロッド及び設置物の重量が移動ロッドを下方に移動させる力として働き、軽い力で簡単に降下させることができる。反対に、移動ロッドを上方に移動させる（持ち上げる）ときは、設置物の重量と移動ロッドの重量が合算され、この合算された重量が移動ロッドを持ち上げる力となる。このため、移動ロッドを比較的大きな力で持ち上げる必要がある。したがって、移動ロッドを上方に移動させるときの操作力と、移動ロッドを下方に移動させるときの操作力との間に大きな力の差ができ、移動ロッドの上げ下げの操作に抵抗感が生じるという問題点があった。
【０００７】
そこで、ロッドの移動方向がいずれであっても、略同じ力の大きさで操作させることができるロッド固定装置、及び、それを用いた伸縮ロッドユニットを提供するために解決すべき技術的課題が生じてくるのであり、本発明はこの課題を解決することを目的とする。
【課題を解決するための手段】
【０００８】
本発明は上記目的を達成するために提案されたものであり、請求項１に記載の発明は、ロッドの意図しない移動を抑制するロッド固定装置であって、第１ロッドと、前記第１ロッドが挿入されて前記第１ロッドを軸方向へ往復移動可能に保持している筒状の第２ロッドと、前記第２ロッド内で前記第１ロッドと一体に前記軸方向へ移動するロック機構とを備え、前記ロック機構が、前記第２ロッドの内周面と当接可能な当接面部を有する少なくとも１つのストッパーと、前記第１ロッドと一体移動可能に前記第２ロッド内に配置され、前記当接面部が前記第２ロッドの内周面と当接できるようにして前記ストッパーを回動可能に保持しているホルダーと、前記ストッパーの前記当接面部が前記第２ロッドの内周面に当接して、前記第１ロッドと前記第２ロッドとの間に固定用摩擦力を生成するための弾発力を前記ストッパーに付与している弾性部材と、を有し、前記ストッパーは、前記第１ロッドが前記軸方向における一方側へ移動する際には、連動して前記当接面部が前記第２ロッドの内周面と離れるように回動され、前記第１ロッドが前記軸方向における他方側へ移動する際には、前記固定用摩擦力に抗して移動されるように構成されている、ロッド固定装置を提供する。
【０００９】
この構成によれば、ロッド固定装置を垂直配置した場合として説明すると、（１）平時は、弾性部材の弾発力により、ストッパーの当接面部が第２ロッドの内周面に圧着する。これにより、ストッパーの当接面部と第２ロッドとの間に固定用摩擦力が生成され、その固定用摩擦力により、第１ロッドの第２ロッドに対する移動を抑止（ロック）できる。（２）また、この移動が抑止されている状態から、第１ロッドに下方への力を加えると、第１ロッドは固定用摩擦力に抗して下方へ移動される。（３）反対に、第１ロッド側に上方への力を加えると、ストッパーの当接面部が第２ロッドの内周面と離れる側に、ストッパーが回動されて、固定用摩擦力が減衰する。そして、固定用摩擦力を減衰した状態下で、第１ロッド側が持ち上げられ、第１ロッド側の重量（第１ロッド側に設置物がある時には、第１ロッドと設置物の重量）に略近い力で第１ロッドを上方へ移動させることができる。
【００１０】
したがって、固定用摩擦力を、第１ロッド側の重量と略等しいか、それよりも若干大きい力に設定しておくと、平時は固定用摩擦力で第１ロック側への移動を抑止しておくことができ、この抑止状態から第１ロッドに下方への力を加えると、固定用摩擦力と略同じ大きさの力で第１ロッドを降下させることができる。反対に、抑止状態から第１ロッドに上方への力を加えると、第１ロッド側の重量と略等しい力で第１ロッド側を上昇させることができる。これにより、第１ロッドの移動方向が上下いずれの方向であっても、略同じ大きさ力で操作させることができ、第１ロッドの上げ下げの操作時における抵抗感がなくなる。
【００１１】
請求項２に記載の発明は、請求項１に記載の構成において、前記ストッパーは、前記弾性部材を挟んで略対称な位置に一対配置されている、ロッド固定装置を提供する。
【００１２】
この構成によれば、一対のストッパーを使用し、また弾性部材を一対のストッパーとの間に共通に配置することにより、弾性部材からストッパーに付与される固定用摩擦力は第２ロッドに対して左右均等に掛けられ、第２ロッドに対する第１ロッドの移動抑止が安定的に行える。また、第１ロッドを上げ下げする操作の時も、一対のストッパーが第２ロッドの内周面に当接して、第１ロッドを軸中心に保持した状態で、上げ下げの移動を案内することができる。さらに、弾性部材を一対のストッパーとの間に共通に配置させているので、弾性部材の部品点数を増やすことなく実現できる。
【００１３】
請求項３に記載の発明は、請求項１又は２に記載の構成において、前記ホルダーと前記ストッパーの一方に位置決めピンを設けるとともに、前記ホルダーと前記ストッパーの他方に前記位置決めピンが前記第２ロッドの半径方向に摺動可能に係合しているガイド溝を設けた、ロッド固定装置を提供する。
【００１４】
この構成によれば、ガイド溝の形状によって、ストッパーの枢軸の位置を変えることができ、ストッパーの枢軸の位置を変えることにより、平時におけるストッパーの第２ロッドに対するロック状態、及び、第１ロッドを上方向又は下方向へ移動させる時に固定用摩擦力を減衰させる量の調整を簡単に行うことができる。また、ストッパーの枢軸は、ガイド溝を動くことができるため、第２ロッドの内径寸法に多少バラツキがあっても正常な動作が可能になる。
【００１５】
請求項４に記載の発明は、請求項１、２又は３に記載の構成において、前記ストッパーは、前記第２ロッドと対向している肩部を凸曲面状に形成している、ロッド固定装置を提供する。
【００１６】
この構成によれば、第２ロッドと対向しているストッパーの肩部の形状を凸曲面状にすることにより、ストッパーがホルダーや第２ロッドの内面に当接するのを無くし、ストッパーが第２ロッドの半径方向側に回転する操作をスムーズにする。
【００１７】
請求項５に記載の発明は、請求項１、２、３又は４に記載の構成において、前記ストッパーは、前記当接面部にブレーキ部材を貼り付けている、ロッド固定装置を提供する。
【００１８】
この構成によれば、当接面部に貼り付けるブレーキ部材により、固定用摩擦力を自由に調整することができる。
【００１９】
請求項６に記載の発明は、請求項１、２、３、４又は５に記載の構成において、前記ホルダーは、前記第１ロッドにブラケットを介して取り付けられているロッド固定装置を提供する。
【００２０】
この構成によれば、ホルダーがブラケットを介して第１ロッドに取り付けられることにより、ホルダーを第１ロッドに強固に固定することができる。
【００２１】
請求項７に記載の発明は、請求項１から請求項６のいずれか１項に記載のロッド固定装置と、前記第１ロッドと一体化された可動側部材と、前記第２ロッドと一体化された固定側部材と、を備えている伸縮ロッドユニットを提供する。
【００２２】
この構成によれば、第１ロッドの移動が伸長方向、縮小方向のいずれであっても、略同じ大きさの力でロッドの移動操作が行える、伸縮ロッドユニットが得られる。
【００２３】
請求項８に記載の発明は、前記可動側部材が化粧鏡で、前記固定側部材が設置台である、伸縮ロッドユニットを提供する。
【００２４】
この構成によれば、設置台上に配置された化粧鏡の高さ位置を上げ下げできるとともに、操作時における抵抗感をなくした、化粧鏡付の伸縮ロッドユニットが得られる。
【発明の効果】
【００２５】
この発明は、固定用摩擦力を、第１ロッド側の重量と略等しいか、それよりも若干大きい力に設定しておくと、平時は固定用摩擦力で第１ロック側の移動を抑止（ロック）し、また、移動が抑止されている状態から、第１ロッドに下方への力を加えると、固定用摩擦力の略同じ大きさで第１ロッドを降下させることができ、反対に第１ロッドに上方への力を加えると、第１ロッド側の重量と略等しい力で第１ロッド側を上昇させることができるので、第１ロッドの移動方向が上下いずれの方向であっても、略同じ大きさの力で操作させることが可能になり、第１ロッドの上げ下げの操作時における抵抗感をなくすことができる。
【図面の簡単な説明】
【００２６】
【図１】本発明のロッド固定装置、及び、伸縮ロッドユニットを用いた化粧鏡スタンドの正面図であり、（ａ）は伸長状態で示す図、（ｂ）は縮小状態で示す図である。
【図２】本発明のロッド固定装置、及び、伸縮ロッドユニットを用いた化粧鏡スタンドの側面図であり、（ａ）は伸長状態で示す図、（ｂ）は縮小状態で示す図である。
【図３】図１（ａ）のＡ部内の構造と同じ視点で示すロッド固定装置の正面図である。
【図４】図３のＢ−Ｂ線断面矢視方向から見た概略図である。
【図５】図４のＣ−Ｃ線断面矢視方向から見た概略図である。
【図６】同上ロッド固定装置におけるホルダーの斜視図である。
【図７】図６の矢印Ｄ方向から見たホルダーの平面図である。
【図８】図６の矢印Ｅ方向から見たホルダーの側面図である。
【図９】図６の矢印Ｆ方向から見たホルダーの側面図である。
【図１０】図９のＧ−Ｇ線矢視断面図である。
【図１１】同上ロッド固定装置におけるストッパーをロッド固定装置の外側方向から見た斜視図である。
【図１２】同上ロッド固定装置におけるストッパーをロッド固定装置の内側方向から見た斜視図である。
【図１３】同上ロッド固定装置におけるストッパーの側面図である。
【図１４】同上ロッド固定装置におけるストッパーの底面図である。
【図１５】同上ロック固定装置の動作説明図であり、（ａ）はロック時の状態、（ｂ）は第１ロッドが上方に移動されている時の状態、（ｃ）は第１ロッドが下方に移動されている時の状態を示している。
【発明を実施するための形態】
【００２７】
本発明はロッドの移動方向が上下いずれであっても、略同じ力の大きさで操作させることができるロッド固定装置、及び、それを用いた伸縮ロッドユニットを提供するという目的を達成するために、ロッドの意図しない移動を抑制するロッド固定装置であって、第１ロッドと、前記第１ロッドが挿入されて前記第１ロッドを軸方向へ往復移動可能に保持している筒状の第２ロッドと、前記第２ロッド内で前記第１ロッドと一体に前記軸方向へ移動するロック機構とを備え、前記ロック機構が、前記第２ロッドの内周面と当接可能な当接面部を有する少なくとも１つのストッパーと、前記第１ロッドと一体移動可能に前記第２ロッド内に配置され、前記当接面部が前記第２ロッドの内周面と当接できるようにして前記ストッパーを回動可能に保持しているホルダーと、前記ストッパーの前記当接面部が前記第２ロッドの内周面に当接して、前記第１ロッドと前記第２ロッドとの間に固定用摩擦力を生成するための弾発力を前記ストッパーに付与している弾性部材と、を有し、前記ストッパーは、前記第１ロッドが前記軸方向における一方側へ移動する際には、前記当接面部が前記第２ロッドの内周面と離れるように回動され、前記第１ロッドが前記軸方向における他方側へ移動する際には、前記固定用摩擦力に抗して移動されるように構成して実現した。
【００２８】
以下、本発明を実施するための形態を添付図面に基づいて詳細に説明する。なお、以下の説明では、実施形態の説明の全体を通じて同じ要素には同じ符号を付している。また、以下の説明では、上下や左右等の方向を示す表現は、絶対的なものではなく、本発明のロッド固定装置の各部が描かれている姿勢である場合に適切であるが、その姿勢が変化した場合には姿勢の変化に応じて変更して解釈されるべきものである。
【実施例】
【００２９】
図１及び図２は本発明に係るロッド固定装置１０、及び、伸縮ロッドユニット１０１を用いた製品の一例としての化粧鏡スタンド１００を示すもので、図１はその化粧鏡スタンド１００の正面図、図２はその化粧鏡スタンド１００の側面図である。
【００３０】
図１及び図２において、化粧鏡スタンド１００は、可動側部材である円柱棒状の第１ロッド１１と固定側部材であるパイプ状をした第２ロッド１２を有し、第２ロッド１２の筒内に第１ロッド１１を軸方向に摺動自在に配置させてなる伸縮ロッドユニット１０１を備えている。また、伸縮ロッドユニット１０１には、第１ロッド１１の上端側に化粧鏡１０２が取り付けられるとともに、第２ロッド１２の下端側に設置台１０３が取り付けられて、設置台１０３をテーブル上等の、必要とする箇所に据え置きできるようになっている。
【００３１】
また、伸縮ロッドユニット１０１は、第１ロッド１１と第２ロッド１２を互いに軸方向へ移動可能に連結しており、第１ロッド１１と第２ロッド１２との間に、第１ロッド１１と第２ロッド１２の移動を抑制して停止状態（ロック状態）にしておくロッド固定装置１０が、図１及び図２のＡ部に組み込まれている。そして、化粧鏡スタンド１００は、設置台１０３を図示しないテーブル上等に固定（据置）して、化粧鏡１０２を手で掴んで上方に持ち上げると、伸縮ロッドユニット１０１において、第１ロッド１１が第２ロッド１２に対して上方に持ち上げられて移動し、この移動で化粧鏡１０２の位置を上に移動させることができる。反対に、化粧鏡１０２を下方に押すと、第１ロッド１１が第２ロッド１２内に摺動して押し込まれ、化粧鏡１０２の位置を下方に移動させることができる。また、化粧鏡１０２の位置調整が済んだら、化粧鏡１０２から手を離すと、伸縮ロッドユニット１０１に組み込まれているロッド固定装置１０により、第１ロッド１１と第２ロッド１２の間の移動が抑制されてロック状態となり、化粧鏡１０２をその位置に保持しておくことができる。
【００３２】
図３〜図５はロッド固定装置１０の構造を説明する図であり、図３は図１（ａ）のＡ部内の構造と同じ視点で示すロッド固定装置１０の正面図、図４は図３のＢ−Ｂ線断面矢視方向から見た概略図、図５は図４のＣ−Ｃ線断面矢視方向から見た概略図である。また、図６〜図１０はロッド固定装置１０のホルダー１４を示す図で、図１１〜図１４はロッド固定装置１０のストッパー１５を示す図、図１５はロッド固定装置１０の動作説明図である。
【００３３】
図３〜図１５を用いてロッド固定装置１０の構造を説明すると、ロッド固定装置１０は、前記第１ロッド１１と、筒状をした前記第２ロッド１２と、第１ロッド１１の下端側に取り付けられて第１ロッド１１の下端側と一緒に第２ロッド１２内に自在に挿入されているロック機構１３と、で構成されている。なお、本実施例では、第１ロッド１１は、第２ロッド１２と同じ筒状をした部材である。また、第１ロッド１１の外径は第２ロッド１２の内径よりも小さく形成されており、したがって第１ロッド１１は第２ロッド１２内を、第２ロッド１２の軸中心に沿って自由に往復移動できるようになっている。
【００３４】
ロック機構１３は、ホルダー１４と、ストッパー１５と、弾性部材としてのコイルスプリング１６と、ホルダー１４を第１ロッド１１の下端に取り付けるためのブラケット１７と、を有している。
【００３５】
ブラケット１７は、樹脂材で成形された概略円板状の部材であり、図５に示すように、第１ロッド１１の外径よりも大きく、かつ、第２ロッド１２の内径よりも小さい外径をした円板部１７ａと、円板部１７ａの上面から上方に向かって突出している上側管状部１７ｂと、円板部１７ａの下面から下方に向かって突出している下側管状部１７ｃと、円板部１７ａの略中心に形成された軸部１７ｄと、を一体に有している。また、軸部１７ｄには、タッピングスクリュー１８が螺合して固定される取付孔１９が形成されている。
【００３６】
なお、ブラケット１７の上側管状部１７ｂは、外径が第１ロッド１１の内径と略等しく形成されている。そして、ブラケット１７は、第１ロッド１１の下端側から上側管状部１７ｂを第１ロッド１１内に圧入させて、第１ロッド１１の下端側に固定して取り付けられる。また、第１ロッド１１と上側管状部１７ｂとの間の固定は、必要に応じて接着剤や加締め加工等を用いる。
【００３７】
ホルダー１４は、樹脂材で成形された比較的背丈の低い概略短円柱状をした部材である。また、ホルダー１４は、図６〜図１０にも単品としての構造を示している。図３〜図５に図６〜図１０を加えて、ホルダー１４の構造を説明すると、ホルダー１４は図５に示すように、ブラケット１７の円板部１７ａの外径と略等しく、かつ、第２ロッド１２の内径よりも小さい外径をした、円板部１４ａを有している。円板部１４ａの上面側には、ブラケット１７の軸部１７ｄが嵌合して配置される凹部１４ｂと、ブラケット１７の下側管状部１７ｃが嵌合して配置される環状凹溝１４ｃが形成されている。反対に、円板部１４ａの下面側には、図３及び図４、図６、図７に示すように、一対の垂直部１４ｄがスペースＳ１を間に設けて、かつ、左右対称の形で、円板部１４ａの下面から下側へ垂直に設けられている。
【００３８】
また、ホルダー１４における一対の垂直部１４ｄは、スペースＳ２を間に設けて前後２つの垂直脚１４ｄａ、１４ｄｂに各々分割されている。前後の垂直脚１４ｄａ、１４ｄｂには、高さ方向における中間部分の位置に、ガイド溝としてのスリット２０が各々互いに対応して設けられている。各スリット２０は図３、図９に示すように、スペースＳ１内から外側（第２ロッド１２の内周面１２ａ側）に向かい、かつ、側面視において円板部１４ａ側から垂直脚１４ｄａ、１４ｄｂの先端側に向かって緩やかに下るようにして形成されている。
【００３９】
さらに、ホルダー１４における円板部１４ａの中央部には、ブラケット１７の取付孔１９に対応して、円板部１４ａの下面側から取り付けられるタッピングスクリュー１８のネジ部を貫通させるための取付孔２１が上下面に貫通して設けられている。
【００４０】
そして、ホルダー１４はブラケット１７を介して第１ロッド１１の下端側に固定して取り付けられる。その第１ロッド１１の下端に対するホルダー１４の取り付けは、まず、第１ロッド１１の下端側に固定して既に取り付けられているブラケット１７の下側管状部１７ｃを環状凹溝１４ｃに嵌合挿入させるとともに、ブラケット１７の軸部１７ｄを凹部１４ｂに嵌合挿入させるようにして、ブラケット１７に添設させる。次いで、ホルダー１４の円板部１４ａの下側からタッピングスクリュー１８を、ホルダー１４の取付孔２１を通ってブラケット１７の取付孔１９にネジ止めし、タッピングスクリュー１８でホルダー１４とブラケット１７との間を固定する。すると、ホルダー１４を、第１ロッド１１の下端側にブラケット１７を介して固定することができる。図５は、この固定された状態を示している。なお、ホルダー１４及び第１ロッド１１は、ブラケット１７を用いて間接的に接続されるものに限定されず、例えば、ネジ締結、加締め加工、接着剤等によって直接的に接続されるものであっても構わない。
【００４１】
ストッパー１５は、樹脂材で成形された駒状の部材であり、ホルダー１４のスペースＳ２内に収納配置される大きさで各々形成されている。また、ストッパー１５は、図１１〜図１４にも単品としての構造を示している。図３〜図５に図１１〜図１４を加えてストッパー１５の構造を説明すると、ストッパー１５は、図４に示すように、ホルダー１４における垂直脚１４ｄａ、１４ｄｂ間のスペースＳ２と略同じ幅を有する本体部１５Ａを有している。
【００４２】
本体部１５Ａは、上面部１５ａと、前後の側面部１５ｂ、１５ｂと、第２ロッド１２の内面と対向して配置される当接面部１５ｃを有し、下面と内側面とが開口されて水平断面が概略コ字状に形成されている。また、図５に示しているように、第２ロッド１２の軸方向の一方側（上方側）で、スペースＳ２の天面及び第２ロッド１２の内周面と各々対向する肩部１５ｄ、すなわち上面部１５ａと当接面部１５ｃが連なる肩部１５ｄは凸曲面状に形成されて、スペースＳ２内でストッパー１５が回動するとき、肩部１５ｄがホルダー１４及び第２ロッドと当接しないでスムーズに回動できるように構成されている。
【００４３】
また、本体部１５Ａにおける当接面部１５ｃの表面には、ブレーキ部材２２が貼り付けられている。ブレーキ部材２２は、例えばシリコンゴムなどである。ブレーキ部材２２は、第２ロッド１２の内周面１２ａと接触した状態で、第１ロッド１１が第２ロッド１２の軸方向に移動しようとしたとき、第２ロッド１２の内周面１２ａとブレーキ部材２２との間に固定用摩擦力を働かせるための部材である。なお、ブレーキ部材２２は、当接面部１５ｃが第２ロッド１２の内周面１２ａに当接したときに発生する固定用摩擦力によっては、省略する場合もある。また、ブレーキ部材２２には、ストッパー１５の下端側が内側に回動したとき、第２ロッド１２の内面との接触を逃がすために、上端側に上側から下側に向かって傾斜するテーパー部２２ａを設けている。
【００４４】
また、ストッパー１５における前後の側面部１５ｂ、１５ｂには、前後対称な位置に外側に向かって突出しているピン状をした枢軸１５ｅが各々形成されている。枢軸１５ｅは、ホルダー１４の垂直脚１４ｄａ、１４ｄｂに設けられたスリット２０内にスライド及び回転自在に配置可能になっている。さらに、本体部１５Ａにおける当接面部１５ｃの裏面（第２ロッド１２の軸中心側の面）には、コイルスプリング１６の端部が係止されるピン状の係止突起１５ｆが形成されている。
【００４５】
ストッパー１５は、スペースＳ２内に配置されて、スペースＳ１内側に配置された前後両側の枢軸１５ｅを、スペースＳ１側からそれぞれ対応するスリット２０内に挿入係合させることによってホルダー１４に取り付けられる。また、ホルダー１４に取り付けられた枢軸１５ｅを支点にして放射方向に往復回転できるとともに、枢軸１５ｅがスリット２０内を摺動することによって、スリット２０の案内で移動して配置される位置を調整できるようになっている。なお、この調整は、スリット２０の傾斜形状によって定まる。また、ストッパー１５の枢軸１５eは、スリット２０（ガイド溝）を動くことができるため、第２ロッド１２の内径寸法に多少バラツキがあっても正常な動作が可能になる。
【００４６】
また、ホルダー１４のスペースＳ２に各々別れて配置された一対のストッパー１５は、第２ロッド１２内にホルダー１４と共に配置されるとき、一対のストッパー１５の向かい合う係止突起１５ｆにコイルスプリング１６を圧縮した状態で両端を各々係止させて、第１ロッド１１の下端部とホルダー１４と一緒に第２ロッド１２内の所定の位置に挿入されて配置される。図５はこのようにして、ロッド固定装置１０が第２ロッド１２内に配置されている状態を示している。ここでのコイルスプリング１６は、第１ロッド１１の中心軸線と略直交する状態にして配置されている。
【００４７】
次に、ロッド固定装置１０が第１ロッド１１を上下の位置に移動させ、移動後の位置で第１ロッド１１を抑止し、維持する動作を、図１５を使用して説明する。
【００４８】
図１５の（ａ）は、第１ロッド１１が移動されて、その移動後の位置を維持している状態、すなわちロック状態を示している。この状態では、一対のストッパー１５は、向かい合う係止突起１５ｆ、１５ｆにそれぞれ両端部が係止されて圧縮状態にある、コイルスプリング１６のバネ力で枢軸（位置決めピン）１５ｅを支点として回転し、当接面部１５ｃに貼り付けられているブレーキ部材２２の一部が第２ロッド１２の内周面１２ａに押し付けられている。これにより、ストッパー１５の当接面部１５ｃに貼り付けられているブレーキ部材２２が第２ロッド１２との間に固定用摩擦力を生成し、その固定用摩擦力で、第２ロッド１２に対する第１ロッド１１の移動を抑止している。したがって、ここでのブレーキ部材２２が生成する固定用摩擦力は、第１ロッド１１側の重量と略等しいか、それよりも若干大きい力に設定しておくことが好ましい。また、このロック状態では、ストッパー１５の枢軸１５ｅはスリット２０の長さ方向略中間の位置に配置されている。
【００４９】
図１５の（ｂ）は、第１ロッド１１側に上方への力を加えたときの状態である。図１５の（ａ）の状態から、第１ロッド１１側に上方への力を加えると、ブレーキ部材２２の固定用摩擦力における抵抗でストッパー１５の当接面部１５ｃが第２ロッド１２の内周面１２ａと離れる側に、ストッパー１５が枢軸１５ｅを支点として回動し、ブレーキ部材２２が第２ロッド１２の内周面１２ａから離れることによって固定用摩擦力が減衰する。また、枢軸１５ｅは、ストッパー１５が回動するとき、ホルダー１４に対するストッパー１５の回動を助ける。また、枢軸１５ｅが移動するとき、コイルスプリング１６は、図５に示すように、中間部分が上方に撓んで枢軸１５ｅの移動を助ける。そして、固定用摩擦力を減衰した状態で第１ロッド１１側が持ち上げられ、第１ロッド１１側の重量（第１ロッド１１側に設置物がある時には、第１ロッド１１と設置物の重量）に略近い力で第１ロッド１１を上方へ移動させることができる。なお、コイルスプリング１６には、コイルスプリング１６の空洞内部に、上下方向に撓み変形して湾曲可能な直線棒状の芯材を配置しておくと、コイルスプリング１６が撓むとき、その撓み変形を予め想定される湾曲形状となるように誘導変形させることができる。
【００５０】
図１５の（ｃ）は、第１ロッド１１側に下方への力を加えたときの状態である。図１５の（ａ）の状態から、第１ロッド１１側に下方への力を加えると、ブレーキ部材２２の固定用摩擦力における抵抗でストッパー１５の当接面部１５ｃが第２ロッド１２の内周面１２ａに近づく側に、ストッパー１５が枢軸１５ｅを支点として回動する。ブレーキ部材２２が第２ロッド１２の内周面１２ａに当接することによって固定用摩擦力が増大する。そして、固定用摩擦力を増大した状態で第１ロッド１１側が押し下げられるが、押し下げの場合は第１ロッド１１側の重量（第１ロッド１１側に設置物がある時には、第１ロッド１１と設置物の重力）が加わり、軽い力で第１ロッド１１を下方へ移動させることができる。また、枢軸１５ｅは、ストッパー１５が回動するとき、図１５（ｃ）に示すように、スリット２０内を第２ロッド１２の中心軸方向に移動して、ホルダー１４に対するストッパー１５の回動も助ける。
【００５１】
したがって、実施例のロッド固定装置１０では、固定用摩擦力を、第１ロッド１１側の重量と略等しいか、それよりも若干大きい力に設定しておくと、平時は固定用摩擦力で第１ロッド１１側の移動を抑止し、ロック状態に維持しておくことができる。
【００５２】
そして、ロック状態から第１ロッド１１に上方への力を加えると、固定用摩擦力を減衰して、第１ロッド１１側の重量と略同じ力で第１ロッド１１側を上昇させることができる。また、反対に第１ロッド１１に下方への力を加えると、固定用摩擦力と略同じ大きさの力で第１ロッド１１を降下させることができる。これにより、第１ロッド１１の移動方向が上下いずれの方向であっても、略同じ力の大きさで第１ロッド１１を操作させることができ、第１ロッド１１の上げ下げの操作時における抵抗感をなくすことができる。
【００５３】
また、ストッパー１５を、第２ロッド１２の軸線を挟んで略対称な位置に一対配置しているとともに、弾性部材であるコイルスプリング１６を一対のストッパー１５の係止突起１５ｆにそれぞれ係止させ、コイルスプリング１６をストッパー１５共通に配置している。したがって、ストッパー１５の固定用摩擦力は、第２ロッド１２に対して左右均等に掛けられ、第２ロッド１２に対する第１ロッド１１の移動抑止が安定的に行える。さらに、第１ロッド１１を上げ下げする操作の時も、一対のストッパー１５が第２ロッド１２の内周面１２ａにそれぞれ当接して、第１ロッド１１を軸中心上に保持した状態で、上げ下げの移動を案内することができるので、移動が安定する。また、一対のストッパー１５に一つのコイルスプリング１６を弾性部材として使用するので、部品点数を増やすことなく実現できる。
【００５４】
また、ホルダー１４にガイド溝としてのスリット２０を設けるとともに、ストッパー１５にスライド及び回転可能に嵌合される位置決めピンとしての枢軸１５ｅを設けている。そして、ストッパー１５の回動中心の位置を、スリット２０と枢軸１５ｅとの嵌合により第２ロッド１２の半径方向に移動調整可能にしているので、スリット２０の形状を設定することによって、平時（ロック時）におけるストッパー１５の第２ロッド１２に対するロック状態、及び、第１ロッド１１を上方向又は下方向へ移動させる際に、固定用摩擦力を減衰させる量の調整を簡単に行うことができる。なお、枢軸１５ｅとスリット２０は、実施例の場合と反対に、枢軸１５ｅをホルダー１４側に設け、スリット２０をストッパー１５側に形成するようにして設けても良い。
【００５５】
また、ストッパー１５の、第２ロッド１２及びホルダー１４のスペース天面と対向している肩部１５ｄを凸曲面状に形成しているので、第２ロッド１２及びホルダー１４に対するストッパー１５の、第２ロッド１２の半径方向への回転をスムーズに行うことができる。
【００５６】
なお、本発明は、本発明の精神を逸脱しない限り種々の改変を成すことができ、そして、本発明が該改変されたものに及ぶことは当然である。
【符号の説明】
【００５７】
１０      ロッド固定装置
１１      第１ロッド（可動側部材）
１２      第２ロッド（固定側部材）
１２ａ    内周面
１３      ロック機構
１４      ホルダー
１４ａ    円板部
１４ｂ    凹部
１４ｃ    環状凹溝
１４ｄ    垂直部
１４ｄａ、１４ｄｂ    垂直脚
１５      ストッパー
１５Ａ    本体部
１５ａ    上面部
１５ｂ    側面部
１５ｃ    当接面部
１５ｄ    肩部
１５ｅ    枢軸（位置決めピン）
１５ｆ    係止突起
１６      コイルスプリング
１７      ブラケット
１７ａ    円板部
１７ｂ    上側管状部
１７ｃ    下側管状部
１７ｄ    軸部
１８      タッピングスクリュー
１９      取付孔
２０      スリット（ガイド溝）
２１      取付孔
２２      ブレーキ部材
２２ａ    テーパー部
１００    化粧鏡スタンド
１０１    伸縮ロッドユニット
１０２    化粧鏡
１０３    設置台
Ｓ１      スペース
Ｓ２      スペース
【図１】
2019113151.tif 000003
【図２】
2019113151.tif 000004
【図３】
2019113151.tif 000005
【図４】
2019113151.tif 000006
【図５】
2019113151.tif 000007
【図６】
2019113151.tif 000008
【図７】
2019113151.tif 000009
【図８】
2019113151.tif 000010
【図９】
2019113151.tif 000011
【図１０】
2019113151.tif 000012
【図１１】
2019113151.tif 000013
【図１２】
2019113151.tif 000014
【図１３】
2019113151.tif 000015
【図１４】
2019113151.tif 000016
【図１５】
2019113151.tif 000017